(57)【要約】【課題】拡張可能なコンパートメントに入れた状態で種々のサイズの物品を運ぶことができるバックパックを提供する。【解決手段】バックパック（10）は、バックパック本体（12）及び拡張可能な物品収納コンパートメント（14）を有する。コンパートメントは、互いに協働する第１の区域（20）と第２の区域（22）を備える。第１の区域はバックパック本体に結合される。第１の区域は、各々突起を備えた２つの端部を有する。第２の区域は、互いに協働することができる３つの領域（30,32,34）を有する。バックパック本体上で第２の区域と協働すると共に３つの領域の相互協働を容易にすることができる紐（26）が設けられている。コンパートメントが非拡張形態にあるとき、ユーザには第１の区域が見えないようになっている。【選択図】図１
2007021198.tif 000002
【特許請求の範囲】
【請求項１】
バックパックであって、
バックパック本体を有し、
物品を収納するよう形作られた拡張可能なコンパートメントを有し、該コンパートメントは、互いに協働する第１の区域と第２の区域を備え、前記第１の区域は、前記バックパック本体に結合され、前記第１の区域は、２つの端部を有し、各端部は、突起を有し、前記第２の区域は、互いに協働することができる３つの領域を有し、
前記バックパック本体上で前記第２の区域と協働すると共に前記３つの領域の相互協働を容易にすることができる紐を有し、
前記端部の前記突起の形状は、前記コンパートメントが非拡張形態にあるとき、ユーザに対する第１の区域の視認性を減少させる、バックパック。
【請求項２】
前記バックパック本体は、第１のパネル及び第２のパネルを有し、前記第１のパネルと前記第２のパネルは、これらのパネルの間に第１のコンパートメントを実質的に形成するよう協働する、請求項１記載のバックパック。
【請求項３】
前記突起のうちの１つは、“Ｖ”の形をしている、請求項１記載のバックパック。
【請求項４】
前記突起のうち１つは、“Ｃ”の形をしている、請求項１記載のバックパック。
【請求項５】
第１の領域に沿う前記拡張可能なコンパートメントの一部を包囲するジッパを更に有し、前記ジッパの操作により、前記第２の区域を前記バックパック本体の前記第１のパネルから拡張させることができる、請求項１記載のバックパック。
【請求項６】
前記バックパック本体を前記第１の領域に締結する部材を更に有する、請求項５記載のバックパック。
【請求項７】
前記３つの領域の各々に設けられた複数個の引き留め特徴部を更に有し、前記複数個の引き留め特徴部は各々、前記紐を挿通させることができるよう形作られている、請求項１記載のバックパック。
【請求項８】
前記バックパックに設けられていて、前記拡張可能なコンパートメント内に入っている前記物体が脱落状態になるのを阻止するよう前記紐と連絡できる係合部材を更に有する、請求項１記載のバックパック。
【請求項９】
前記係合部材は、フックを有する、請求項８記載のバックパック。
【請求項１０】
前記係合部材は、バックルを有する、請求項８記載のバックパック。
【請求項１１】
前記物品は、オートバイ用ヘルメットを含む、請求項１記載のバックパック。
【請求項１２】
前記物品は、ボールを含む、請求項１記載のバックパック。
【請求項１３】
前記拡張可能なコンパートメントは、拡張形態にあるとき、前記第１のコンパートメントよりも大きい、請求項２記載のバックパック。
【請求項１４】
バックパックであって、
バックパック本体を有し、
物品を収納するよう形作られた拡張可能なコンパートメントを有し、該コンパートメントは、互いに協働する第１の区域と第２の区域を備え、前記第１の区域は、前記バックパック本体に結合され、前記第１の区域は、ほぼその中心に沿って折畳み線を有し、前記第２の区域は、互いに協働するよう形作られた３つの領域を有し、
前記第２の区域及び前記バックパック本体に結合された係合部材と協働すると共に前記３つの領域の相互協働を容易にすることができる紐を有し、
前記拡張可能なコンパートメントが、非拡張形態にあるとき、前記第１の区域の約半分が、前記第２の区域に当接し、前記第１の区域の材料のほぼ半分が、前記第１のパネルに当接する、バックパック。
【請求項１５】
前記バックパック本体は、第１のパネル及び第２のパネルを有し、前記第１のパネルと前記第２のパネルは、これらのパネルの間に第１のコンパートメントを実質的に形成するよう協働する、請求項１４記載のバックパック。
【請求項１６】
第１の領域に沿う前記拡張可能なコンパートメントの一部を包囲するジッパを更に有し、前記ジッパの操作により、前記第２の区域を前記バックパック本体の前記第１のパネルから拡張させることができる、請求項１４記載のバックパック。
【請求項１７】
前記バックパック本体を前記第１の領域に締結する部材を更に有する、請求項１６記載のバックパック。
【請求項１８】
前記３つの領域の各々に設けられた複数個の引き留め特徴部を更に有し、前記複数個の引き留め特徴部は各々、前記紐を挿通させることができるよう形作られている、請求項１４記載のバックパック。
【請求項１９】
前記バックパックに設けられていて、前記拡張可能なコンパートメント内に入っている前記物体が脱落状態になるのを阻止するよう前記紐と連絡できる係合部材を更に有する、請求項１４記載のバックパック。
【請求項２０】
前記係合部材は、フックを有する、請求項１９記載のバックパック。
【請求項２１】
前記係合部材は、バックルを有する、請求項１９記載のバックパック。
【請求項２２】
前記物品は、オートバイ用ヘルメットを含む、請求項１４記載のバックパック。
【請求項２３】
前記物品は、ボールを含む、請求項１４記載のバックパック。
【請求項２４】
前記拡張可能なコンパートメントは、拡張形態にあるとき、前記第１のコンパートメントよりも大きい、請求項１５記載のバックパック。
【請求項２５】
バックパックであって、
第１及び第２のパネルを有するバックパック本体を有し、前記第１のパネルと前記第２のパネルは、これらパネルの間に第１のコンパートメントを実質的に形成するよう協働し、
物品を収納するよう形作られた拡張可能なコンパートメントを有し、該コンパートメントは、互いに協働する第１の区域と第２の区域を備え、前記第１の区域は、前記バックパック本体に結合され、前記第１の区域は、２つの端部を有し、各端部は、突起を有し、前記第１の区域は、ほぼその中心に沿って折畳み線を有し、前記第２の区域は、互いに協働するよう形作られた３つの領域を有し、
前記３つの領域の相互協働を容易にするために前記第２の区域と協働できる紐を有し、
前記端部の前記突起の形状は、前記コンパートメントが非拡張形態にあるとき、ユーザに対する第１の区域の視認性を減少させ
前記拡張可能なコンパートメントが、非拡張形態にあるとき、前記第１の区域の約半分が、前記第２の区域に当接し、前記第１の区域の材料のほぼ半分が、前記第１のパネルに当接する、バックパック。
【請求項２６】
前記突起のうちの１つは、“Ｖ”の形をしている、請求項２５記載のバックパック。
【請求項２７】
前記突起のうち１つは、“Ｃ”の形をしている、請求項２５記載のバックパック。
【請求項２８】
第１の領域に沿う前記拡張可能なコンパートメントの一部を包囲するジッパを更に有し、前記ジッパの操作により、前記第２の区域を前記バックパック本体の前記第１のパネルから拡張させることができる、請求項２５記載のバックパック。
【請求項２９】
前記バックパック本体を前記第１の領域に締結する部材を更に有する、請求項２８記載のバックパック。
【請求項３０】
前記３つの領域の各々に設けられた複数個の引き留め特徴部を更に有し、前記複数個の引き留め特徴部は各々、前記紐を挿通させることができるよう形作られている、請求項２５記載のバックパック。
【請求項３１】
前記バックパックに設けられていて、前記拡張可能なコンパートメント内に入っている前記物体が脱落状態になるのを阻止するよう前記紐と連絡できる係合部材を更に有する、請求項２５記載のバックパック。
【請求項３２】
前記係合部材は、フックを有する、請求項３１記載のバックパック。
【請求項３３】
前記係合部材は、バックルを有する、請求項３１記載のバックパック。
【請求項３４】
前記物品は、オートバイ用ヘルメットを含む、請求項２５記載のバックパック。
【請求項３５】
前記物品は、ボールを含む、請求項２５記載のバックパック。
【請求項３６】
前記拡張可能なコンパートメントは、拡張形態にあるとき、前記第１のコンパートメントよりも大きい、請求項２５記載のバックパック。
【発明の詳細な説明】
【技術分野】
【０００１】
本発明は一般に、バックパックに関し、特に、拡張可能なコンパートメントを備えたバックパックに関する。
【背景技術】
【０００２】
バックパックは、種々の寸法形状に設計されている。バックパックの中には、多数のポケットを有し、種々のサイズの種々の物品を収納するよう設計されたものがある。ヘルメットの設計及び製造業界は、サイクリストのための保護性が高く且つ魅力的なヘルメットを提供しようと努めている。ヘルメットは着用されていないときに持ち運びに厄介な場合があるので、バックパックの中には、サイクリストのヘルメットを収容するよう設計されたものがある。
【０００３】
バックパックの設計における１つの関心事は、スペースの有効利用である。バックパックは、これらが必要以上に大きくなく、しかもそのスペース内に多くの物品を貯蔵できるように設計されるべきである。拡張可能なコンパートメントは典型的には、この目的を果たすために用いられる。これらコンパートメントが使用されていないとき、拡張可能なコンパートメントは代表的には、ジッパで閉じられ、その大きな余分のスペースを取らない。
【発明の開示】
【発明が解決しようとする課題】
【０００４】
従来型の拡張可能なコンパートメントには幾つかの問題がある。第１に、代表的には、拡張を可能にするポケットの周囲周りの材料は、ポケットがジッパで閉じられるとき、ポケットの容易な圧縮を可能にはしないようなものである。このことが時々起こる理由は、ポケットが閉じ位置にあるとき、この材料がそれ自体容易には折り畳めないことにある。第２に、典型的な拡張可能コンパートメントは、周囲パネルに取り付けられた１枚の外側パネルから成る。１枚の外側パネルは典型的には平らであり、種々の寸法形状の物品を効率的且つ見栄えよく収納しない場合がある。さらに、この外側パネルは典型的には、その（外側パネルの）側部の全てがバックパックに取り付けられ、これは、かかる種々の寸法への対応性を欠く一因となる。
【０００５】
バックパックは互いに異なる体格の人に着用される場合があるので、バックパックを優雅に取り付けるストラップの調節可能性も又、望ましい特徴である。
【０００６】
拡張可能なコンパートメントに入れた状態で種々のサイズの物品を運ぶことができるバックパックを提供することが要望されている。
【０００７】
本発明の目的のうちの１つは、上述の問題及び欠点を解決することにある。
【課題を解決するための手段】
【０００８】
本発明の第１の特徴によれば、バックパックは、拡張可能なコンパートメントを有する。拡張可能なコンパートメントの外側部分は、３つの領域に分割されている。２つの外側領域は、拡張可能な紐を用いることにより内側領域に保持される。これら領域は、バックパック本体に取り付けられた周囲部材に取り付けられている。この周囲部材は、コンパートメントをぐるりと約３／４にわたって包囲している。外側パネルを３つの領域に分割することにより、束ねる必要無くポケットの拡縮が可能になる。かくして、３つの領域へのこの分割により、拡張可能なコンパートメントは種々の寸法形状の物品を効率的且つ見栄えよく収容することができる。これは、サイクリストのヘルメットに特に適している。
【０００９】
本発明の第２の特徴によれば、紐は、バックパック本体上でフック特徴部に取り付けられる。この取付けにより、拡張可能なコンパートメント内の物品を引き留めてコンパートメントの頂部開放部分を通って脱落状態にならないようにする。
【００１０】
本発明の第３の特徴によれば、周囲パネルは、その各端部に切欠き領域を有する。この切欠きにより、周囲パネルは、拡張可能なコンパートメントが収縮位置にあるとき、見えないままの状態でいることができる。切欠き領域を設けなければ、周囲パネルは、拡張可能なコンパートメントの外側部分の右及び左領域上で視認できる。好ましい実施形態では、切欠き領域は、“Ｖ”の形をしている。
【００１１】
本発明の第４の特徴によれば、周囲パネルは、断面で見て、“Ｖ”の形に折り畳める。これにより、拡張可能なポケットの最適収縮が可能になると共にスペースが節約される。
【発明を実施するための最良の形態】
【００１２】
図全体を通じて、同一の参照符号及び記号は、別段の指定が無ければ、図示の実施形態の同一の特徴、要素、コンパートメント及び部分を示すために用いられている。さらに、次に、本発明を図面を参照して詳細に説明するが、これは、図示の実施形態と関連して行われる。
【００１３】
図１は、本発明の例示の一実施形態のバックパック１０を示している。バックパック１０は、バックパック本体１２及び拡張可能なコンパートメント１４を有する。バックパック本体１２は、第１のコンパートメント１１を形成する際に用いられる第１のパネル１６と第２のパネル１８を有する。パネル１６，１８を縫合により互いに連結するのがよい。パネル１６，１８は、例えばナイロンやポリエステルのような材料で作られたものであるのがよく、かかる材料としては、他の織物状材料が挙げられるが、これらには限定されない。この材料は、軟質であって引き伸ばし可能であり又は柔軟性があり、硬質材料であり、フォーム又はパッド入り材料、又はこれら種々の材料の組合せ又は複合材であってよい。拡張可能なコンパートメント１４は、図１では、収縮位置で示されている。
【００１４】
図５は、本発明の例示の一実施形態のバックパックを示している。図５は、コンパートメント１４が拡張位置にある状態のバックパックを示している。拡張可能コンパートメント１４は、第１の区域２０及び第２の区域２２を有している。区域２０，２２をパネル１６，１８とほぼ同じ材料で作るのがよい。第１の区域２０を縫合により第１のパネル１６に連結するのがよい。第１の区域２０は、第１のパネル１６とほぼ半円形の交差部を形成するのがよく、かくして、拡張可能なコンパートメント１４の部分周囲を形成することができる。第２の区域２２は、第１の領域３０、第２の領域３２及び第３の領域３４を有するのがよい。
【００１５】
ジッパが、コンパートメント１４の拡張を可能にすることができる。ジッパ２４は、コンパートメント１４の第２の区域をバックパック本体１２の第１のパネル１６に締結することができる。ジッパ２４は、第１の区域２０全体の周りで拡張可能コンパートメント１４を包囲するのがよい。かくして、ジッパ２４を閉じたとき、第２の区域２２は、第１のパネル１６に近接して引き寄せられる。
【００１６】
図６に示すように、第１の区域２０は、ほぼ中心線４０に沿って折り畳め、それにより矢印５０の方向に断面で見て“Ｖ”を形成する。これにより、例えばコンパートメント１４が大きな物品を貯蔵するために用いられていないとき、コンパートメント１４の最適な収縮が可能になる。この種の折り畳みは、第１の区域２０の全ての側部で可能である。第１の区域２０は、図６に示すように側面図で見てこれまた“Ｖ”の形をしているのがよい切欠き領域４２（両端部に）を更に有するのがよい。この切欠き４２は、第１の区域２０の部分（材料が切り欠かれていない場所）がコンパートメント１４が収縮位置にあるとき（図２参照）、第２の領域３２の方向に第１の領域３０及び第３の領域３４を越えてはみ出るのを阻止する。換言すると、切欠き領域４２が設けられていることにより本質的に、結果的に１対の三角形突起６０，６２が線６４の一方の側部に形成されることになる。突起６０，６２は、第１の区域２０の一部であるのがよい。図５に戻ってこれを参照すると、ジッパ２４を開くと、第２の区域２２は、第１のパネル１６から拡張し、第１の区域２０は、第２の区域２２及び第１のパネル１６と連係して、拡張可能なコンパートメント１４を形成する。第１の区域２０は、コンパートメント１４の底部及び側部としての役目を果たすことができる。「底部」及び「側部」という用語は、本明細書においては相対的な用語であり、バックパックが図５に示すように直立位置にある場合のバックパックについて説明する用語である。
【００１７】
第２の区域２２は、これに取り付けられた紐２６を更に有するのがよい。紐２６により、第１の領域３０と第２の領域３２が互いに協働し、第２の領域３２と第３の領域３４が互いに協働することができる。大なり小なりの物品がコンパートメント１４内に入れられると、ユーザは、紐２６の張力を調節することができる。また、これにより、３つの領域３０，３２，３４の相互近接性が調節される。紐２６は又、バックパック本体１０の第１のパネル１６に設けられたフック３８に取り付けられることにより、コンパートメント１４内に入っている物品５６（図５にしか示さず）が抜け落ちるのを阻止するのを助けるよう働くことができる。換言すると、第１の区域２０がコンパートメント１４の底部及び側部としての役目を果たすことができる一方で、紐２６は、物品がコンパートメントから頂部に向かってずれるのを阻止するのを助けることができる。「頂部」という用語は、相対的な用語であり、バックパックが図５に示すように直立位置にある場合のバックパックについて説明する用語である。紐２６に加わる張力の大きさは、調節部材３６によって調節可能であるのがよく、この調節部材を紐２６上の種々の場所に位置決めできる。本発明の拡張可能なコンパートメント内に貯蔵できる物品の例としては、オートバイ用ヘルメット、自転車用ヘルメット、野球用ヘルメット、捕手のマスク、バスケットボールやサッカーボール並びに運搬するのが必要な比較的大形で且つ扱いにくい他の物品が挙げられるが、これらには限定されない。拡張可能なコンパートメント１４は、第１のコンパートメント１１が保持できる大きさよりも大きな物品を保持できるのがよい。
【００１８】
図７は、フック３８に代えてバックル部材７０を備えた図５の領域“Ａ”の拡大図である。バックル部材７０をストラップ７２によって第１のパネル１６に連結することができ、このストラップをバックパック本体１０の第１のパネル１６に縫い付けるのがよい。別のバックル７４を紐２６ａに結合するのがよい。かくして、この別のバックル７４は、バックル７０と協働して拡張可能なコンパートメント内１４に入っている物品５６（図５にしか示さず）が抜け落ちるのを阻止するのを助けるよう働くことができる。
【００１９】
図１に戻ってこれを参照すると、締結構造の一部としてスナップ装着部材１７を有するストラップ１５（両方共図１にしか示されていない）をバックパック本体１２に取り付けるのがよく、かかるストラップは、第１の領域３０に設けられた対応のスナップ装着部材（図示せず）に係合するよう形作られたものであるのがよい。対応のスナップ装着部材は好ましくは、これが拡張可能なコンパートメント１４内に入れられている物品を傷付けるのを阻止するために、第１の領域３０の内張りを貫通して最後まで延びてはならない。ストラップ１５を第１のパネル１６と第２のパネル１８が結合する縫い目の中に取り付けるのがよい。ストラップ１５を用いると、ジッパ２４が偶発的に開くのを阻止することができ、かくして、拡張可能なコンパートメント１４は、閉鎖位置に保たれる。
【００２０】
図３及び図４は、それぞれ、図１のバックパックの平面図及び底面図である。
【００２１】
上記の説明は、本発明の原理を単に説明している。説明した実施形態の改造例及び変更例は、本明細書の教示を考慮すると当業者には明らかであろう。かくして、当業者であれば、明示的に図示され又は記載されていないが、本発明の原理を具体化し、かくして、本発明の精神及び範囲に属する多くのシステム及び方法を案出することができることは理解されよう。例えば、第２の区域２２は、３つではなく、２つ又は４つの領域を有することができる。
【図面の簡単な説明】
【００２２】
【図１】本発明のバックパックの例示の実施形態の等角図である。
【図２】図１のバックパックの正面図である。
【図３】図１のバックパックの平面図である。
【図４】図１のバックパックの底面図である。
【図５】本発明に従ってコンパートメントが拡張位置にある状態のバックパックの例示の実施形態の等角図である。
【図６】図５のバックパックの側面図である。
【図７】本発明のバックパックの例示の実施形態の等角図である。
【符号の説明】
【００２３】
１０  バックパック
１２  バックパック本体
１４  拡張可能なコンパートメント
１６，１８  パネル
２０  第１の領域
２２  第２の領域
２４  ジッパ
２６  紐
３０  第１の区域
３２  第２の区域
３４  第３の区域
６０，６２  突起
【図１】
2007021198.tif 000003
【図２】
2007021198.tif 000004
【図３】
2007021198.tif 000005
【図４】
2007021198.tif 000006
【図５】
2007021198.tif 000007
【図６】
2007021198.tif 000008
【図７】
2007021198.tif 000009